(57)【特許請求の範囲】
【請求項１】
電気機械の内部ステーターに挿入される液体冷却装置であって、前記内部ステーターには、内面が設けられており、前記液体冷却装置は、
長手方向の第１及び第２端部と前記内部ステーターの前記内面に当てられるように構成且つ形成される外面とが設けられた管状本体であって、長手方向の前記第１及び前記第２端部は、当該管状本体の変形を可能にする拡張スロットを含有し、当該管状本体は、液体注入口及び液体排出口が設けられた冷却経路をも含有する、管状本体と、
前記内部ステーターの前記内面に接触する前記管状本体の前記外面を付勢するように構成且つ形成される付勢組立体と、を含むことを特徴とする液体冷却装置。
【請求項２】
前記管状本体は、Ｃ字状をなしていることを特徴とする請求項１に記載の液体冷却装置。
【請求項３】
Ｃ字状の前記管状本体は、長手方向の前記第１端部から長手方向の前記第２端部へ延びるスロットを含有し、
前記付勢組立体は、前記スロットに取り付けられることを特徴とする請求項２に記載の液体冷却装置。
【請求項４】
前記冷却経路は、前記管状本体に組み込まれる冷却管によって画定されることを特徴とする請求項１に記載の液体冷却装置。
【請求項５】
組み込まれる前記冷却管は、連続的に蛇行する冷却管であることを特徴とする請求項４に記載の液体冷却装置。
【請求項６】
前記管状本体の前記外面は、蛇行する溝を含有し、
前記冷却経路は、蛇行する前記溝に挿入される冷却管によって画定されることを特徴とする請求項１に記載の液体冷却装置。
【請求項７】
蛇行する前記溝は、概ね、Ｃ字状の横断面を有することを特徴とする請求項６に記載の液体冷却装置。
【請求項８】
前記冷却経路は、前記冷却経路の前記液体注入口及び前記液体排出口を設ける連結管によって相互に連結される少なくとも２つの概ねＵ字状の冷却管によって画定されることを特徴とする請求項１に記載の液体冷却装置。
【請求項９】
少なくとも２つの概ねＵ字状の前記冷却管は、一体化した屈曲部によって相互に連結される２つの長手方向の脚部によって画定され、
前記管状本体における長手方向の前記第１端部の前記拡張スロットは、前記長手脚部間に設けられる一方で、前記管状本体における長手方向の前記第２端部の前記拡張スロットは、隣接する概ねＵ字状の前記冷却管の間に設けられることを特徴とする請求項８に記載の液体冷却装置。
【請求項１０】
前記冷却経路は、前記管状本体における複数の傾斜した穴によって画定され、
傾斜した前記穴は、前記管状本体における長手方向の前記第１及び前記第２端部双方に対して開口しており、
隣接する前記穴は、前記液体注入口から前記液体排出口へ冷却経路を形成するために変形可能プラグによって閉じられることを特徴とする請求項１に記載の液体冷却装置。
【請求項１１】
前記管状本体は、内面を含有し、
前記付勢組立体は、前記管状本体の内面に取り付けられ且つ前記ステーターの前記内面に対して前記管状本体の前記外面を当てるため、外側に向けられる付勢力をもたらすために構成且つ形成される内部の前記付勢組立体であることを特徴とする請求項１に記載の液体冷却装置。
【請求項１２】
前記内面には、第１及び第２傾斜壁部によって画定される狭窄が設けられ、
内部の前記付勢組立体は、第１及び第２リングを含有し、前記第１及び前記第２リングそれぞれには、前記管状本体における前記第１及び第２傾斜壁部それぞれを接触させるために構成且つ形成される傾斜した周壁と、前記第１及び前記第２リングを相互に連結させる少なくとも２つの留め具と、が設けられ、
少なくとも２つの前記留め具は、前記第１及び前記第２リングに取り付けられており、前記留め具の回転は、前記第２リングを前記第１リングに向かって押し込み、それにより外側を向く付勢力をかけて前記管状本体を前記ステーターの前記内面に対して当てることを特徴とする請求項１１に記載の液体冷却装置。
【請求項１３】
前記第１及び前記第２リングは、前記ステーターとして同一の材料で作られ、それによって、大体同一の速度で熱膨張及び収縮することを特徴とする請求項１２に記載の液体冷却装置。
【請求項１４】
前記第１リングは、前記留め具を通させるように構成される開口部を含有し、
前記第２リングは、前記留め具のねじ部を受けるように構成且つ形成されるねじ付開口部を含有することを特徴とする請求項１２に記載の液体冷却装置。
【請求項１５】
電気機械は、
内面が設けられた内部ステーターと、
前記内部ステーターの周囲に同軸上に取り付けられる外部のローターと、
前記内部ステーターに挿入される液体冷却装置と、を含み、
前記液体冷却装置は、
長手方向の第１及び第２端部と前記内部ステーターの前記内面に当てられるように構成且つ形成される外面とが設けられた管状本体であって、長手方向の前記第１及び前記第２端部は、当該管状本体の変形を可能にする拡張スロットを含有し、当該管状本体は、液体注入口及び液体排出口が設けられた冷却経路をも含有する管状本体と、
前記内部ステーターの前記内面に接触する前記管状本体の前記外面を付勢するように構成且つ形成される付勢組立体と、を含むことを特徴とする電気機械。
【請求項１６】
前記管状本体は、Ｃ字状をなしていることを特徴とする請求項１５に記載の電気機械。
【請求項１７】
Ｃ字状の前記管状本体は、長手方向の前記第１端部から長手方向の前記第２端部へ延びるスロットを含有し、
前記付勢組立体は、前記スロットに取り付けられることを特徴とする請求項１６に記載の電気機械。
【請求項１８】
前記冷却経路は、前記管状本体に組み込まれる冷却管によって画定されることを特徴とする請求項１５に記載の電気機械。
【請求項１９】
組み込まれる前記冷却管は、連続的に蛇行する冷却管であることを特徴とする請求項１８に記載の電気機械。
【請求項２０】
前記管状本体の前記外面は、蛇行する溝を含有し、
前記冷却経路は、蛇行する前記溝に挿入される前記冷却管によって画定されることを特徴とする請求項１５に記載の電気機械。
【請求項２１】
蛇行する前記溝は、概ねＣ字状の横断面を有することを特徴とする請求項２０に記載の電気機械。
【請求項２２】
前記冷却経路は、前記冷却経路の前記液体注入口及び前記液体排出口を設ける連結管によって相互に連結される少なくとも２つの概ねＵ字状の冷却管によって画定されることを特徴とする請求項１５に記載の電気機械。
【請求項２３】
少なくとも２つの概ねＵ字状の前記冷却管は、一体化した屈曲部によって相互に連結される２つの長手方向の脚部によって画定され、
前記管状本体における長手方向の前記第１端部の前記拡張スロットは、長手方向の前記脚部間に設けられる一方で、前記管状本体における長手方向の前記第２端部の前記拡張スロットは、隣接する概ねＵ字状の前記冷却管の間に設けられることを特徴とする請求項２２に記載の電気機械。
【請求項２４】
前記冷却経路は、前記管状本体において複数の傾斜した穴によって画定され、
傾斜した前記穴は、前記管状本体の長手方向の前記第１及び前記第２端部双方に対して開口しており、
隣接する穴は、前記液体注入口から前記液体排出口へ前記冷却経路を形成するために、変形可能プラグによって閉じられることを特徴とする請求項１５に記載の電気機械。
【請求項２５】
前記管状本体は、内面を含有し、
前記付勢組立体は、前記管状本体の内面に取り付けられ且つ前記ステーターの前記内面に対して前記管状本体の前記外面を当てるため、外側に向けられる付勢力をもたらすために構成且つ形成される内部の前記付勢組立体であることを特徴とする請求項１５に記載の電気機械。
【請求項２６】
前記内面には、第１及び第２傾斜壁部によって画定される狭窄が設けられ、
内部の前記付勢組立体は、第１及び第２リングを含有し、前記第１及び前記第２リングそれぞれには、前記管状本体における前記第１及び第２傾斜壁部それぞれを接触させるために構成且つ形成される傾斜した周壁と、前記第１及び前記第２リングを相互に連結させる少なくとも２つの留め具と、が設けられ、
少なくとも２つの前記留め具は、前記第１及び前記第２リングに取り付けられており、前記留め具の回転は、前記第２リングを前記第１リングに向かって押し込み、それにより外側を向く付勢力をかけて前記管状本体を前記ステーターの前記内面に対して当てることを特徴とする請求項２５に記載の電気機械。
【請求項２７】
前記第１及び前記第２リングは、前記ステーターとして同一の材料で作られ、それによって、大体同一の速度で熱膨張及び収縮することを特徴とする請求項２６に記載の電気機械。
【請求項２８】
前記第１リングは、前記留め具を通させるように構成される開口部を含有し、
前記第２リングは、前記留め具のねじ部を受けるように構成且つ形成されるねじ付開口部を含有することを特徴とする請求項２６に記載の電気機械。
【発明の詳細な説明】
【技術分野】
【０００１】
本発明は、電気機械に関する。より明確に、本発明は、電気機械のための液体冷却装置及び前記液体冷却装置が設けられた電気機械に関係している。
【背景技術】
【０００２】
電気機械、モーターまたは発電機、は、当技術分野で周知である。電気機械は、副産物として熱を発生させることと、機械の性能を改善し且つ／または早い劣化もしくはそれを原因としての故障を防ぐために、この熱を機械から何らかの形で抜き出さなければならないことと、で同様に幅広く知られている。
【０００３】
電気機械は、多くの場合、空冷式である。これは、空気を通させるために機械の本体に開口部を設けることによって容易になされる。空気は、通常、低効率冷却流体であるので、前記冷却装置における効率は、乏しい。さらに、ある電気機械は、その場所に空気をもたらすために開口部を有して電気機械を設けることが不可能であるような環境で稼動する。それゆえに、電気機械のための液体冷却装置は、同様に考案されている。
【先行技術文献】
【特許文献】
【０００４】
【特許文献１】米国特許第６９６０８５１号明細書
【特許文献２】米国特許第７４７４０２１号明細書
【特許文献３】米国特許第６９９２４１１号明細書
【発明の概要】
【発明が解決しようとする課題】
【０００５】
ある永久磁石電気機械は、内部ステーター及び通常、ステーターを取り囲む外部のローターを設ける。この例の場合、ステーターは、通常、円筒状の本体と、外部に設けられるローターと相互に作用する磁界を外に向かって生じさせるように円筒状の本体に取り付けられるコイルと、を有している。熱が通常、ローターによって若干取り囲まれるステーターにおいて発生させられているので、外部の前記ローター電気機械における取り囲まれたステーターの内部に液体冷却装置を設置することが困難である。
【図面の簡単な説明】
【０００６】
【図１】第１の実例となる実施形態による液体冷却装置の斜視図である。
【図２】図１における線２−２に沿って取り出される側断面図である。
【図３】図１における液体冷却装置の底面図である。
【図４】図１における液体冷却装置の上面図である。
【図５】図４における線５−５に沿って取り出される側断面図である。
【図６】図１における液体冷却装置が設けられた電気機械の断面図である。
【図７】第２の実例となる実施形態による液体冷却装置の斜視図である。
【図８】第３の実例となる実施形態による液体冷却装置が設けられたステーターを説明する斜視図である。
【図９】図８における線９−９に沿って取り出される断面図である。
【図１０】第４の実施形態による液体冷却装置の斜視図である。
【図１１】第５の実施形態による液体冷却装置の斜視図である。
【発明を実施するための形態】
【０００７】
実例となる実施形態において、電気機械の内部ステーターに挿入される液体冷却装置であって、内部ステーターは、内面を設けている、液体冷却装置が提供され、この液体冷却装置は、
長手方向の第１及び第２端部と内部ステーターの内面に当てられるように構成且つ形成される外面とが設けられた管状本体であって、長手方向の第１及び第２端部は、管状本体の変形を可能にする拡張スロットを含有し、管状本体は、液体注入口及び液体排出口が設けられた冷却経路をも含有する管状本体と、
内部ステーターの内面に接触する管状本体の外面を付勢するように構成且つ形成される付勢組立体と、を含む液体冷却装置。
【０００８】
別の態様によると、
内面が設けられた内部ステーターと、
内部ステーターの周囲に同軸上に取り付けられる外部のローターと、内部ステーターに挿入される液体冷却装置と、を含む電気機械が提供され、
液体冷却装置は、
長手方向の第１及び第２端部と内部ステーターの内面に当てられるように構成且つ形成される外面とが設けられた管状本体であって、長手方向の第１及び第２端部は、管状本体の変形を可能にする拡張スロットを含有し、管状本体は、液体注入口及び液体排出口が設けられた冷却経路をも含有する管状本体と、
内部ステーターの内面に接触する管状本体の外面を付勢するように構成且つ形成される付勢組立体と、を含む液体冷却装置。
【０００９】
この説明は、この明細書にわたり記載されている他の文献を参照する。これらの文献は、ここでそれらの全体について参照として組み込まれる。
【００１０】
特許請求の範囲及び／または明細書において用語“comprising（含む）”とともに使用されるときの単語“a（ある）”または“an（ある）”の使用は、“one（１つ）”を意味するが、それは、“one or more（１または１を超える）”、“at least one（少なくとも１つ）”及び“one or more than one（１または１を超える）”の意味とも矛盾がない。同様に、単語“another（別の）”は、少なくとも２つ以上を意味する。
【００１１】
この明細書及び特許請求の範囲において使用されるように、単語“comprising（含む）”（及びcomprisingの任意の形態、例えば“comprise”と“comprises”となど）、“having（有する）”（及びhavingの任意の形態、例えば“have”と“has”となど）、“including（含有する）”（及びincludingの任意の形態、例えば“include”と“includes”となど）または“containing（包含する）”（及びcontainingの任意の形態、例えば“contain”と“contains”となど）は、包括的であり、または制約がなく、且つ追加的な、列挙しない要素または処理工程を排除しない。
【００１２】
用語“about（大体）”は、数値を決定するために用いられる装置または方法に関する誤差の固有の変化量を含有する数値を示すために使用される。
【００１３】
したがって目的は、電気機械のための液体冷却装置を提供することである。
【００１４】
語句“電気機械”は、本明細書において、これらの機械において使用される専門語を無視することで、包括的な電気モーター及び発電機双方と解釈されることに注意が必要である。
【００１５】
その他の目的、利点及び特徴は、実例となる実施形態における以下の非制限的な説明を読むことでより明らかになり、それに関して、添付する図面を参照してほんの一例として与えられる。
【００１６】
概説するならば、実例となる実施形態による冷却装置は、熱貯蔵要素と関連する冷却管を使用する。冷却管は、蛇行する形状を有しており、円筒状の熱貯蔵要素は、通常、熱貯蔵要素の長手方向の端部双方から始まる長手方向のスロットを含有する。それゆえに、熱貯蔵要素を電気機械の内部ステーター内に適切に位置決めするために、熱貯蔵要素を若干変形させることが可能である。さらに、長手方向のスロットは、ステーターの過度の変形なく且つこれらの要素間で生じる接触損失なく、電気機械のステーターを形成する材料と比べて、熱貯蔵要素の材料が異なる速度で収縮及び膨張することを可能にする。したがって、熱貯蔵要素及びステーター間における適切な熱移動は、これらの要素を形成する異なる材料の使用を許可しつつ、可能である。付勢組立体は、ステーターの内面に接触する熱貯蔵要素の外面を押し込むために使用される。
【００１７】
これから図１から図６を参照することで、第１の実例となる実施形態による液体冷却装置１０を説明する。
【００１８】
液体冷却装置１０は、管状本体１２の形態での熱貯蔵要素と、管状本体１２に組み込まれた連続的に蛇行する冷却管１４の形態での冷却経路と、を含有する。
【００１９】
管状本体１２は、通常、Ｃ字状をなしており、外面１６と長手方向の第１及び第２端部１８及び２０とを含有する。３つの拡張スロット２２は、長手方向の第１端部１８から設けられ、２つの拡張スロット２４は、長手方向の第２端部２０から設けられる（図２参照）。拡張スロット２２は、長手方向の第１端部１８に対して開口しているが、長手方向の第２端部２０には達していない。反対に、図３における底面図からいっそう良好に示されるように、拡張スロット２４は、長手方向の第２端部２０に対して開口しているが、長手方向の第１端部１８には達していない。
【００２０】
管状本体１２におけるＣ字形状は、長手方向の端部１８及び２０双方に対して開口している大きなスロット２５によって画定される。
【００２１】
図１において破線で示される蛇行する冷却管１４は、液体注入口２６及び液体排出口２８を含有する。
【００２２】
図２は、本体１２に組み込まれる冷却管１４を説明する。図２は、同様に、冷却管１４のそれぞれの直線部が、少なくとも１つの拡張スロット２２または２４に隣接することを説明する。
【００２３】
図３及び図４は、内部ステーター（図示せず）への本体１２の挿入に関する可能性のある変形を、破線で本体１２におけるそれぞれ底面図及び上面図である。
【００２４】
図５は、本体１２に組み込まれる冷却管１４を破線で説明する。この図から示されるように、拡張スロット２２及び２４は、蛇行する冷却管１４におけるＵ字状部分に設けられ、連続的な冷却管１４を許容する一方で、本体１２の長手方向の端部のどちらかに対して開口する拡張スロットを設ける。
【００２５】
図６は、液体冷却装置１０が設けられた電気機械５０の一部分を概略的に説明する。電気機械５０は、コイル５４が設けられたステーター５２と、永久磁石５８が設けられたローター５６と、を含有する。
【００２６】
ステーター５２は、通常、使用される冷却装置１０の外側表面１６の一部分が当てられる円筒状の内側表面６０を含有する。ステーター５２の底部肩６２及び本体１２の頂部肩６４は、ステーター５２に冷却装置１０の適切な挿入を保証する。当然ながら、肩６２及び６４は、本明細書で説明されるそれらと異なる。
【００２７】
断面的な図６に示されるように、本体１２の内面６６は、２つの傾斜壁部７０及び７２によって画定される中央の狭窄６８を含有する。
【００２８】
図６は、ステーター５２の内面６０に接触する管状本体１２の外面１６を付勢するために使用される内部の付勢組立体７４を説明する。付勢組立体７４には、第１及び第２リング７６、７８と第１リング７６を第２リング７８に相互に連結させる複数の留め具８０（図６において示される２つ）とが設けられる。リング７６及び７８における外周壁８２は、通常、傾斜壁部７０及び７２に対応するように曲げられる。
【００２９】
それゆえに、ステーター１２内に挿入されるために冷却装置１０が若干変形させられると、拡張スロット２２及び２４とスロット２５とのために、留め具８０は、リング７６及び７８を互いに向かって押させる（矢印８６参照）ように締め付けられる（矢印８４参照）。傾斜壁８２、７０及び７２における相互作用は、ステーター５２の内側表面６０上へ本体１２の外側壁１６を押す（矢印８８参照）ように本体１２を変形させる。それゆえに、適切な熱移動が、ステーター５２及び冷却装置１０間で実現される。
【００３０】
拡張スロット２２及び２４は、異なる材料で作られるステーター５２及び冷却装置１０が、これらの要素における非弾性変形を引き起こすことなく、異なる速度で熱膨張及び／または収縮することを可能にする一方で、適切な熱移動を可能にするために、それらの間に適切な接触を保つ。
【００３１】
リング７６及び７８は、ステーター５２と同一の材料、一般的に鋼で作られており、それと同一の速度で熱膨張且つ収縮させる。
【００３２】
当然ながら、その他の固定装置が使用されてもよい。例えば、図６における留め具８０は、圧縮手段（図示せず）がリベットを取り付ける間にリング７６及び７８を互いに向かって一時的に保持するために使われるならば、リベット（図示せず）と置換されてもよい。
【００３３】
当業者によって容易に理解されるように、管状本体の内部に取り付けられ、外に向けられる半径方向力をもたらすように設計されるその他の装置は、ステーターの内面に接触する管状本体の外面を付勢するために使用される。
【００３４】
冷却管１４及び本体１２双方が多数の適切な熱移動材料で作られてもよいことは、当業者によって容易に理解される。例えば、冷却管１４は、ステンレス鋼で作られる一方で、本体１２は、アルミニウムで作られてもよい。当然ながら、本体に対してその他の材料、例えば管及び鋳鉄のための銅、プラスチック、亜鉛またはマグネシウムなどが使用されてもよい。当業者は、管及び本体に対して適合する材料を選択する立場にある。
【００３５】
これから図７を参照することで、第２の実例となる実施形態による液体冷却装置１００を説明する。液体冷却装置１０及び１００は、非常に似ているので、簡潔にする目的で、これらの液体冷却装置間での相違点についてのみ、以下で説明されることに注意すべきである。
【００３６】
冷却装置１００及び１０間の主な相違点は、冷却装置における規模に属する。実際には、冷却装置１０は、小さい直径の電気機械のために設計される一方で、冷却装置１００は、より大きい直径の電気機械のために設計される。それゆえに、管状本体１０２は、より大きい直径を有し且つ本体１０２の長手方向の端部１０８及び１１０双方からより多くの拡張スロット１０４及び１０６を設ける。
【００３７】
別の興味深い相違点は、液体冷却装置１００の本体１０２がＣ字状をなしていないことである。増加したスロットの数は、本体１０２のより相当な変形を可能にし、このスロットは、本体１０２がステーターに挿入され、その後本体１０２がＣ字状である必要なくステーターの内面に接触して押し込まれることを可能にする。
【００３８】
これから添付の図面における図８及び図９を参照することで、第３の実例となる実施形態による液体冷却装置２００を説明する。液体冷却装置２００は、図１から図７において説明される液体冷却装置１０及び１００に非常に似ている。それゆえに、それらの間の相違点のみが以下で説明される。
【００３９】
図８から明らかなように、冷却装置２００の外面をステーター２０２の内面上に当てるために使用される付勢組立体２０４は、以上で説明された付勢組立体と異なる。図８において説明される付勢組立体は、“付勢要素を含有する冷却装置”と題され且つPoulinらを発明者として挙げる特許文献１において説明されている。この文献は、その全体について参照として本明細書に組み込まれる。
【００４０】
液体冷却装置２００は、組み込みの管を設けない。図９から示されるように、液体冷却装置２００は、複数の穴を含有しており、この穴は、「Ｖ」の形をした溝を画定するためにある角度をなして開けられ、且つ隣接するＶ字状の溝が交わる場所で間隔を空けられる。
【００４１】
より明確に、それぞれの傾斜した穴２０５は、液体冷却装置２００の長手方向の端部２０６及び２０８双方に対して開口している。隣接する穴は、注入口２１２から排出口２１４へ冷却経路を形成するために変形可能プラグ２１０によって閉じられる。拡張スロット２１６は、装置２００の長手方向の端部２０６、２０８双方上のプラグ２１０の間に設けられる。それゆえに、冷却経路は、拡張スロットによって阻害されない。
【００４２】
穴及びプラグにおける上記の配置は、“電気機械のための冷却組立体”と題され且つDidier Perrinを発明者として挙げる特許文献２において説明されている。この文献は、その全体について参照として本明細書に組み込まれる。
【００４３】
これから添付の図面における図１０を参照することで、第４の実例となる実施形態による冷却装置３００を説明する。液体冷却装置３００は、図７において説明される液体冷却装置１００に似ていることに注意すべきである。それゆえに、それらの間の相違点のみが以下で説明される。
【００４４】
液体冷却装置３００の冷却経路は、冷却管３０２によって画定され、この冷却管３０２は、管状本体３０４に組み込まれないが、管状本体３０４の外面３０８上に設けられる蛇行する溝３０６に挿入され且つ変形させられる。蛇行する溝３０６は、概ねＣ字状の横断面を有する。
【００４５】
したがって液体冷却装置３００がステーターに挿入される場合、連続的な冷却管３０２は、本体３０４及びステーター（図示せず）双方と物理的に接触する。
【００４６】
この場合も同様に、拡張スロット３１０は、冷却管３０２の間での干渉を防ぐために冷却管３０２の長手方向の一部分の間に設けられる。
【００４７】
上記の冷却管の配置は、“電気機械のための液体冷却装置”と題され且つHouleらを発明者として挙げる特許文献３において説明されている。この文献は、その全体について参照として本明細書に組み込まれる。
【００４８】
最後に、添付の図面における図１１を参照することで、第５の実例となる実施形態による液体冷却装置４００を説明する。この場合も同様に、液体冷却装置４００は、図７において説明される液体冷却装置１００と似ているので、それらの間の相違点のみが以下で説明される。
【００４９】
液体冷却装置４００の冷却経路は、それぞれが液体注入口４０４及び液体排出口４０６を含有する８つのＵ字状の冷却管４０２を含有する。拡張スロット４０８は、Ｕ字状の冷却管４０２間かその長手方向の脚部間に、それらに関して冷却管４０２の働きを妨げないように設けられる。
【００５０】
冷却経路は、液体冷却装置４００に対して１つだけからなる注入口及び排出口を設けるために、液体注入口４１２及び液体排出口４１４を設け且つ冷却管４０２の注入口及び排出口に取り付けられる連結管４１０も含有する。連結管４１０は、図１０において図式的に説明されることに注意すべきである。
【００５１】
当然ながら、当業者は、Ｕ字状の冷却管４０２の数が変更されてもよいことを理解する。
【００５２】
冷却装置本体の外面は、異なる本体の直径を画定する肩部を有するとしてここに示される一方で、まっすぐな円筒状の外面が使用されてもよいことに注意すべきである。当業者には容易に理解できるように、冷却装置の本体の外面は、通常、本体とステーターとの間に適切な接触をもたらすために電気機械のステーターの内面に対応している。
【００５３】
円筒状に成形した冷却装置は上述したが、その他の形状、例えば多角形などは、冷却装置の外側表面に対して且つステーターの内側表面に対して使用されてもよい。当然ながら、これらの表面の形状は、適切な接触及びゆえに熱移動をもたらすために対応する。
【００５４】
熱移動材料、例えば接着剤、熱グリースまたは熱パッドなどは、ステーターから液体冷却装置への熱移動を改善するために、本体の外面及びステーターの内面間に設けられることにも注意すべきである。
【００５５】
発明は、構造の細部と添付する図面において説明され且つ上述される部材とについて、その利用において制限されないことが理解される。発明は、その他の実施形態及びさまざまな状況において実施することが可能である。ここに使用される表現または専門用語は、説明のためであり且つ制限ないことが同様に理解される。ゆえに、この発明は、実例となる実施形態を経由して上述されるが、それに関して、添付される特許請求の範囲において定義される精神、請求範囲及び対象発明の性質から逸脱することなく、実施形態は改変されてもよい。
【符号の説明】
【００５６】
１０，１００，２００，３００，４００  液体冷却装置、１２，１０２，３０４  本体，管状本体、１４，３０２，４０２  冷却管、１６，３０８  外面、１８  第１端部、２０  第２端部、２２，２４，１０４，１０６，２１６，３１０，４０８  スロット，拡張スロット、２６，４０４，４１２  液体注入口、２８，４０６，４１４  液体排出口、５２，２０２  ステーター、６０，６６  内面、６８  狭窄、７０，７２，８０  壁部、７４，２０４  付勢組立体、７６  第１リング、７８  第２リング、８０  留め具、２０５  穴、２１０  変形可能プラグ、３０６  溝
【図１】
0005692920.tif 000002
【図２】
0005692920.tif 000003
【図３】
0005692920.tif 000004
【図４】
0005692920.tif 000005
【図５】
0005692920.tif 000006
【図６】
0005692920.tif 000007
【図７】
0005692920.tif 000008
【図８】
0005692920.tif 000009
【図９】
0005692920.tif 000010
【図１０】
0005692920.tif 000011
【図１１】
0005692920.tif 000012